(57)【要約】【課題】審美的に優れたアーチ形状の歯間乳頭を形成する際に、外周面に外ネジが形成されたフィクスチャーの微妙な位置調整が可能である人工歯根を提供する。【解決手段】歯槽骨６２内に埋入されるフィクスチャー２と、その一端がフィクスチャー２に嵌合されるとともに、その他端に対して義歯４が装着されるアバットメント３０と、フィクスチャー２とアバットメント３０とを連結する連結手段４０と、を備え、フィクスチャー２は、外ネジ１２の形成されたベース体１０と、ベース体１０に対して回動自在に結合されるとともに、アーチ状の歯間乳頭形成の基礎をなす歯間乳頭形成体２０と、を含んでなる。【選択図】図１
2008149121.tif 000002
【特許請求の範囲】
【請求項１】
歯槽骨内に埋入されるフィクスチャーと、
その一端がフィクスチャーに嵌合されるとともに、その他端に対して義歯が装着されるアバットメントと、
前記フィクスチャーとアバットメントとを連結する連結手段と、を備え、
前記フィクスチャーは、
外ネジの形成されたベース体と、
ベース体に対して回動自在に結合されるとともに、アーチ状の歯間乳頭形成の基礎をなす歯間乳頭形成体と、を含んでなることを特徴とする人工歯根。
【請求項２】
前記歯間乳頭形成体は、大略円筒形状をしていて、少なくとも、頬側に対応する円筒の側周面では、歯槽骨の基部側に向かって凸状に湾曲した鏡面が形成され、他の部分が粗面に構成されていることを特徴とする、請求項１記載の人工歯根。
【請求項３】
歯槽骨の基部側に向かって凸状に湾曲した前記鏡面は、舌側に対応する円筒の側周面にも形成されていることを特徴とする、請求項２記載の人工歯根。
【請求項４】
歯間乳頭形成体の粗面及び鏡面の境界をなす部分に沿って凹部が形成されており、当該凹部が鏡面加工されていることを特徴とする、請求項２記載の人工歯根。
【請求項５】
前記歯間乳頭形成体の末端部の最終面は、鞍形状をしていて、歯間乳頭形成体の側周面の末端側が鏡面であり歯間乳頭形成体の側周面の基部側が粗面であることを特徴とする、請求項１記載の人工歯根。
【請求項６】
末端部の最終面が鞍形状をしていてその側周面が粗面である歯間乳頭形成体と、アバットメントとの間で境界をなす部分には凹部が形成されており、少なくとも、当該凹部を構成する歯間乳頭形成体の部分が鏡面であることを特徴とする、請求項１記載の人工歯根。
【請求項７】
前記ベース体が共通であって、植設される部位に応じて歯間乳頭形成体が変更されることを特徴とする、請求項１記載の人工歯根。
【請求項８】
前記粗面は、リン酸カルシウムのコーティングによって形成されていることを特徴とする、請求項３又は５記載の人工歯根。
【請求項９】
前記フィクスチャーとアバットメントとの嵌合は、正多角形体の雌雄結合であることを特徴とする、請求項１記載の人工歯根。
【請求項１０】
前記正多角形体は、正六角形であることを特徴とする、請求項８記載の人工歯根。
【請求項１１】
前記連結手段は、アバットメントスクリューであることを特徴とする、請求項１記載の人工歯根。
【発明の詳細な説明】
【技術分野】
【０００１】
本発明は、義歯を装着するために歯槽骨内に植設される人工歯根に関する。
【背景技術】
【０００２】
歯の欠損した部位の歯槽骨内に人工歯根を植設し、人工歯根の末端側に義歯を装着して天然歯の代用することは、臨床的に既に行われている。
【０００３】
健全な自然歯の場合、歯肉は歯の解剖学的歯頚部のレベルに位置しており、典型的には大略アーチ形状に発達している。隣接する歯との歯間空隙を埋めている歯肉は、歯間乳頭と呼ばれている。歯間乳頭は、前歯部ではピラミッド状を呈し、臼歯部では鞍状を呈している。健全な自然歯の骨乳頭の稜の縁部は、歯肉溝から先端の方向に約２．５乃至３ｍｍの歯肉溝と同様の大略アーチ形状に発達している。
【０００４】
歯間乳頭の存在は、審美性が要求される前部口腔部分においては特に重要である。すなわち、歯の欠損した部位の歯槽骨内に人工歯根を植設する場合、歯の欠損した部位に対して所定の治療を施したあと一定期間経過後に人工歯根を植設することになるために、しばらくの間、歯の存在しない状態になっている。歯の存在しない歯槽骨では、大略アーチ形状をした骨乳頭が破骨細胞の働きによって失われてしまう。人工歯根を植設したあとには、造骨細胞によって骨乳頭が新たに生成されるが、従来の人工歯根ではその末端側の最終面が平坦な円形をしているために、その平坦な円形に沿って骨乳頭及び歯間乳頭が形成されてしまうので、健全な自然歯のような大略アーチ形状の歯間乳頭が形成されることがなかった。したがって、末端側の最終面が平坦な円形を有するタイプの従来の人工歯根は、健全な自然歯と比較して審美的に劣っている。
【０００５】
そこで、骨乳頭及び歯間乳頭に基づいた上記審美性を改善する人工歯根が、例えば、特許文献１に開示されている。
【０００６】
【特許文献１】特表２００３−５０５１４１号公報
【０００７】
特許文献１に開示された人工歯根は、その末端部の最終面の輪郭が健全な自然歯の歯周における歯槽骨稜の縁部の輪郭に相当するように構成されている。すなわち、人工歯根の末端側の最終面がいわば鞍形状をしていて、義歯の頬側の面では、その末端側の端部が歯槽骨の基部側に向かって凸状に湾曲した輪郭を有しており、いわばアーチ形状をしている。しかしながら、フィクスチャーのアーチ形状が頬側に向くようにフィクスチャーを植設しなければ、審美性を備えた人工歯根と呼ぶことができない。
【０００８】
ところで、特許文献１には、フィクスチャーの固定に関する明確な記載は無いが、フィクスチャーの外周面には螺旋状の窪み又は隆起すなわち外ネジを有していてもよいと記載されている。外ネジという強固な固定方法によらなければ、人体が持っている異物排出力によってフィクスチャーが排出されてしまう可能性がある。そこで、フィクスチャーをネジ固定することは一般的に行われているが、フィクスチャーを回動させながらネジ固定するために、必ずしも所望の位置でフィクスチャーを停止させることはできない。したがって、特許文献１の人工歯根では、フィクスチャーのアーチ形状が頬側に向くようにフィクスチャーをうまく位置決めすることは困難であるという問題を有している。
【０００９】
また、フィクスチャーの末端側の最終面を鞍形状に加工することは、非常に高度な加工技術が要求される。そして、フィクスチャーに係合するアバットメントの当接面も逆の鞍形状に加工する必要がある。フィクスチャーの末端側を鞍形状に加工することに失敗した場合には、フィクスチャーそのものが無駄になってしまう。また、治療すべき歯の部位に応じた多くの種類のフィクスチャーを準備する必要がある。したがって、特許文献１の人工歯根は、非常に高価であるという問題を有している。
【発明の開示】
【発明が解決しようとする課題】
【００１０】
したがって、本発明の解決すべき技術的課題は、審美的に優れたアーチ形状の歯間乳頭を形成する際に、外周面に外ネジが形成されたフィクスチャーの微妙な位置調整が可能である人工歯根を提供することである。
【課題を解決するための手段および作用・効果】
【００１１】
上記技術的課題を解決するために、本発明によれば、以下の人工歯根が提供される。
【００１２】
すなわち、本発明に係る人工歯根は、
歯槽骨内に埋入されるフィクスチャーと、
その一端がフィクスチャーに嵌合されるとともに、その他端に対して義歯が装着されるアバットメントと、
フィクスチャーとアバットメントとを連結する連結手段と、を備え、
前記フィクスチャーは、
外ネジの形成されたベース体と、
ベース体に対して回動自在に結合されるとともに、アーチ状の歯間乳頭形成の基礎をなす歯間乳頭形成体と、を含んでなることを特徴とする。
【００１３】
上記構成によれば、本発明に係る人工歯根は、いわばフィクスチャーをベース体と歯間乳頭形成体とに分離・分割した分割型フィクスチャーに関するものである。ベース体は、その外周面に形成された外ネジによって歯槽骨内に強固に埋入されるが、その埋入位置は一定ではない。歯間乳頭形成体は、ベース体に対して回動自在に結合されているので、ベース体のネジ止め位置にかかわらず、歯間乳頭形成の基礎をなすアーチ形状が頬側を向く最適な位置に歯間乳頭形成体を回動させることができるので、審美的に優れた歯間乳頭を持った人工歯根を植設することができる。したがって、本発明に係る人工歯根は、歯間乳頭形成の基礎をなすアーチ形状を有するフィクスチャーの微妙な位置調整を行うことができ、フィクスチャーの外ネジによって歯槽骨内に強固に埋入することができる。
【００１４】
アーチ状の歯間乳頭形成の基礎をなす歯間乳頭形成体としては、大略円筒形状をしていて、少なくとも、頬側に対応する円筒の側周面では、歯槽骨の基部側に向かって凸状に湾曲した鏡面が形成され、他の部分が粗面に構成されている。
【００１５】
上記構成によれば、粗面に骨形成成分が付着するものの、歯槽骨の基部側に向かって凸状に湾曲した鏡面には骨形成成分が付着しない。したがって、フィクスチャーの歯間乳頭形成体には、歯間乳頭形成の基礎をなすアーチ形状が形成される。
【００１６】
歯槽骨の基部側に向かって凸状に湾曲した前記鏡面は、舌側に対応する円筒の側周面にも形成されていることが好ましい。
【００１７】
頬側にアーチ形状が存在すれば審美的には十分であるが、上記構成によれば、舌側においても、歯間乳頭形成の基礎をなすアーチ形状が形成されるので、歯間乳頭形成体の装着の自由度がアップする。
【００１８】
歯間乳頭形成体の粗面及び鏡面の境界をなす部分に沿って凹部が形成されており、当該凹部が鏡面加工されていることが好適である。鏡面加工された凹部に対して生物学的幅径の部分が食らい付くことができるので、マイクロギャップに起因した歯肉の退縮の影響を受けにくくなる。また、生物学的幅径の部分が凹部に対して食らい付いて強固な結合力が得られるので、人工歯根と辺縁歯肉との間隙である遊離歯肉溝からの細菌感染を防止することも可能になる。
【００１９】
歯間乳頭形成体の末端部の最終面は、鞍形状をしていて、その側周面の末端側が鏡面でありその側周面の基部側が粗面であるという構成によっても、歯間乳頭形成の基礎をなすアーチ形状が形成される。
【００２０】
末端部の最終面が鞍形状をしていてその側周面が粗面である歯間乳頭形成体と、アバットメントとの間で境界をなす部分には凹部が形成されており、少なくとも、当該凹部を構成する歯間乳頭形成体の部分が鏡面であるという構成によっても、歯間乳頭形成の基礎をなすアーチ形状が形成されるとともに、凹部に生物学的幅径の部分が食らい付くように形成されるので、マイクロギャップに起因した歯肉の退縮の影響を受けにくくなる。また、生物学的幅径の部分が凹部に対して食らい付いて強固な結合力が得られるので、人工歯根と辺縁歯肉との間隙である遊離歯肉溝からの細菌感染を防止することも可能になる。
【００２１】
ベース体と歯間乳頭形成体とからなるフィクスチャーは、植設部位に応じて準備するという態様で用いることもできるが、数多くのフィクスチャーを準備しなければならないので、どうしてもコストアップになってしまう。そこで、ベース体を共通にしておいて、植設部位に応じて歯間乳頭形成体を変更するという態様でフィクスチャーを用いることが好適である。
【００２２】
歯槽骨との親和性・密着性を向上させるために、粗面はリン酸カルシウムのコーティングによって形成されていることが好適である。
【００２３】
フィクスチャーは、歯槽骨内に強固に埋入されているために実質的に不動であるが、歯槽骨から露出して歯槽骨で支持されていないアバットメントは実質的に可動である。したがって、アバットメントを実質的に不動とするために、フィクスチャーとアバットメントとの嵌合は、正多角形体の雌雄結合とすることができる。
【００２４】
正多角形体は、正十二角形や正八角形や正四角形等も使用可能であるが、正六角形であることが好適である。
【００２５】
フィクスチャーとアバットメントとを連結する連結手段は、アバットメントスクリューである。
【発明を実施するための最良の形態】
【００２６】
以下に、本発明に係る人工歯根１の一実施形態を、図１乃至５を参照しながら詳細に説明する。
【００２７】
図１は、本発明の一実施形態に係る人工歯根１の正面図である。図２は、図１に示した人工歯根１の縦方向の断面図である。図３は、図１に示した人工歯根１の斜視図である。図４は、図１の人工歯根１を歯槽骨６２内に植設した状態を示す模式図である。図５は、図１に示した人工歯根１の分解図である。
【００２８】
人工歯根１は、フィクスチャー２と、アバットメント３０と、アバットメントスクリュー４０と、から構成されている。人工歯根１の材料としては、公知の材料、例えば、純チタンやチタン合金やコバルト・クロム合金、モリブデン合金等の金属材料や、アルミナセラミック等のセラミック材料が使用される。
【００２９】
フィクスチャー２は、ベース体１０及び歯間乳頭形成体２０という二つの要素から構成されている。ベース体１０及び歯間乳頭形成体２０の外面は、連続的な輪郭を形成しており、いわゆる面一になっている。
【００３０】
ベース体１０は、わずかに先細の大略円筒形状をしていて、その外周面に外ネジ１２が形成されている。外ネジ１２は、先端側に行くにしたがって、そのネジ山が高くなっている。また、先端側のネジ山が部分的に切り欠かれており、埋入後に骨成分が切欠部に入り込むことによって埋入後のネジの回動を阻止する働きを有している。このような外ネジ１２によって、フィクスチャー２は、歯槽骨６２内に強固に埋入固定される。
【００３１】
ベース体１０の内部には、中空有底穴１４が形成されており、その内壁面には内ネジ１７が形成されている。この内ネジ１７は、後述するアバットメントスクリュー４０のネジ４３と螺合する。ベース体１０の中空有底穴１４の末端部には、歯間乳頭形成体２０の接続端２４を回動自在に受け入れる凹状の受け部１６が設けられている。ベース体１０の末端端は、歯間乳頭形成体２０の基部端と密接する接続端部１８を構成している。
【００３２】
歯間乳頭形成体２０は、大略円筒形状をしていて、その末端側に主面部２１を有し、その基部側に凸状の接続端２４を有している。円筒形状をした接続端２４の径は、円筒形状をした主面部２１の径よりも小さい。円筒形状をした凸状の接続端２４は、ベース体１０の受け部１６に回動自在に挿入される。
【００３３】
歯間乳頭形成体２０の内部には、貫通穴が形成されており、その内壁面には内ネジ２７が形成されている。この内ネジ２７は、歯槽骨６２内に埋入固定されたベース体１０に対して、骨が修復して固着するまでの間に蓋の役割をするネジ付きカバーキャップとともに運搬・装着するために使用される。歯間乳頭形成体２０の貫通穴の末端側には、アバットメント３０の嵌合端３６を受け入れる正六角形の凹状の空隙部が設けられている。
【００３４】
歯間乳頭形成体２０の主面部２１において、少なくとも、頬側に対応する側周面では歯槽骨６２の基部側に向かって凸状に湾曲した鏡面２３が形成され、他の部分が粗面２２に構成されている。すなわち、歯肉６６と接触する部位は鏡面加工されており、骨乳頭６４と接合する部位は機械的手段及び／又は化学的手段によって粗面加工されている。粗面加工の機械的手段としてはサンドブラスト等があり、骨との親和性を高めるために、リン酸カルシウムのコーティング等がある。円筒形状をした歯間乳頭形成体２０の側周面に粗面２２及び鏡面２３を形成したものであるから、非常に製造しやすいという利点を有している。
【００３５】
歯槽骨６２の基部側に向かって凸状に湾曲した鏡面２３は、舌側に対応する主面部２１の側周面にも形成されている。頬側にアーチ形状が存在すれば審美的には十分であるが、舌側においても、歯間乳頭形成の基礎をなすアーチ形状を形成することによって、歯間乳頭形成体２０の装着の際の自由度がアップする。
【００３６】
ベース体１０と歯間乳頭形成体２０とからなるフィクスチャー２は、植設部位に応じて準備するという態様で用いることもできるが、数多くのフィクスチャー２を準備しなければならないので、コストアップになってしまう。そこで、ベース体１０を共通にしておいて、植設部位に応じて歯間乳頭形成体２０を変更するという態様でフィクスチャー２を用いることが好適である。
【００３７】
例えば、アーチ形状が急峻である前歯用、アーチ形状が中程度である小臼歯用、アーチ形状がなだらかである大臼歯用というように、三種類程度の歯間乳頭形成体２０を準備するようにしておけば、様々な植設部位に対して柔軟に対応することができ、低コスト化に寄与することができる。
【００３８】
アバットメント３０は、大略円筒形状をしていて、その末端側に義歯装着部３２を有し、その中間部に傾斜部３４を有し、その基部側に嵌合端３６を有している。正六角形をした嵌合端３６の外寸は、円筒形状をした義歯装着部３２及び傾斜部３４の径よりも小さい。正六角形をした凸状の嵌合端３６は、歯間乳頭形成体２０の空隙部に嵌合挿入される。また、図４に示すように、義歯装着部３２は長手方向に延在する係止溝３３を有しており、義歯４が係止溝３３に沿って義歯装着部３２に嵌合挿入される。
【００３９】
図２に示すように、アバットメント３０の内部には、末端側が大径であり基部側が小径である二段構成の貫通穴が形成されている。貫通穴の基部側の内壁面には、内ネジ３７が形成されている。この内ネジ３７は、歯槽骨６２内に埋入固定されたフィクスチャー２の歯間乳頭形成体２０に対して、アバットメント３０とアバットメントスクリュー４０とを一体的に運搬・装着するために使用される。末端側の大径部分は、アバットメントスクリュー４０の軸部４２が挿入可能なサイズであり、基部側の小径部分は、アバットメントスクリュー４０のネジ４３が挿入可能なサイズである。末端側の大径部分から基部側の小径部分に切り替わる貫通穴の中ほどには、アバットメントスクリュー４０の軸部４２を受け止めるストッパー部４５が形成されている。
【００４０】
したがって、ベース体１０の中空有底穴１４と、歯間乳頭形成体２０の貫通穴と、アバットメント３０の二段構成の貫通穴とは、同軸上に形成されており、それらが一列に連通した穴の中にアバットメントスクリュー４０が挿通される。
【００４１】
アバットメントスクリュー４０は、図５に示すように、末端側が大径であり基部側が小径である二段構成の大略円柱形状をしている。すなわち、アバットメントスクリュー４０は、大径頭部４４の凹状頭部に装入器具（いわゆるドライバー）が装着される大径頭部４４と、大径頭部４４の基部側に延在する小径の軸部４２と、から構成されている。軸部４２の基部部には、ネジ４３が形成されている。既に説明したように、このネジ４３は、ベース体１０の内ネジ１７とアバットメント３０の内ネジ３７とに対して、それぞれ螺合する。
【００４２】
次に、上記人工歯根１の使用態様について説明する。
【００４３】
図４に示すように、健康な２本の自然歯６０の間にある歯が喪失したとすると、フィクスチャー２のベース体１０の形状に対応したネジ穴が歯槽骨６２に形成される。フィクスチャー２のベース体１０が当該ネジ穴に埋入される。そして、ネジ付きカバーキャップと歯間乳頭形成体２０とを一体化した状態で歯間乳頭形成体２０がベース体１０上に載置される。歯間乳頭形成体２０の位置が最適ではない場合には、歯間乳頭形成体２０をわずかに回動させることによって、歯間乳頭６８の形成の基礎をなすアーチ形状が頬側を向く最適な位置に位置調整される。カバーキャップのネジを締めて歯間乳頭形成体２０の貫通穴に対して蓋をして、この上に歯肉６６の粘膜を被せて、この状態でフィクスチャー２を保持する。数ヶ月程度の固着期間が経過すると、歯肉６６の粘膜を剥離し、カバーキャップを除去して、歯間乳頭形成体２０の貫通穴を露出させる。
【００４４】
数ヶ月程度の固着期間が経過する間に、歯間乳頭形成体２０の粗面２２には骨形成成分が付着するものの、歯槽骨６２の基部側に向かって凸状に湾曲する歯間乳頭形成体２０の鏡面２３には骨形成成分が付着しないので、フィクスチャー２の歯間乳頭形成体２０には、歯間乳頭６８の形成の基礎をなすアーチ形状の骨乳頭６４が形成されている。アーチ形状の骨乳頭６４が形成されることによって、当該骨乳頭６４に沿って歯間乳頭６８が形成され、最終的にアーチ形状の歯間乳頭６８が回復する。
【００４５】
そして、アバットメント３０とアバットメントスクリュー４０とを一体化した状態でアバットメント３０を歯間乳頭形成体２０上に載置して、アバットメントスクリュー４０のネジ４３をベース体１０の内ネジ１７に対してネジ止めすることによって、フィクスチャー２とアバットメント３０とがアバットメントスクリュー４０を介して一体的に固定される。その後さらに、義歯４がアバットメント３０の装着部３２に対して装着される。
【００４６】
したがって、本発明によれば、歯間乳頭形成体２０が、外ネジ１２で固定されたベース部１０に対して回動自在に結合されているために、ベース体１０のネジ止め位置にかかわらず、歯間乳頭６８の形成の基礎をなすアーチ形状が頬側を向く最適な位置への微妙な位置調整が可能であるので、審美的に優れた歯間乳頭６８を持った義歯４が強固に植設される。
【００４７】
なお、上記実施形態の歯間乳頭形成体２０では、側周面上の粗面２２と鏡面２３とがなす境界線によって、歯槽骨の基部側に向かって凸状に湾曲したアーチ形状が形成されている。上記実施形態の変形例として、図８及び９に示すように、末端部の最終面を鞍状接続端２５にして、主面部２１の側周面のほとんど大部分を粗面２２にした歯間乳頭形成体２０を用いることができる。すなわち、歯間乳頭形成体２０の末端部である鞍状接続端２５の外形輪郭形状をアーチ形状とし、歯間乳頭形成体２０それ自身の外形輪郭形状によってアーチ形状を形成しようとするものである。この場合、アバットメント３０の基部側には、歯間乳頭形成体２０の鞍状接続端２５を受容するように逆の鞍形状をした鞍状受容端３５が形成されている。なお、ベース体１０と歯間乳頭形成体２０との間の結合構造を、上記実施形態と同じように構成することができるが、図９に示すように、ベース体１０の受け部１６及び歯間乳頭形成体２０の接続端２４との間の接続構造を、雌雄の正六角形状接続とすることもできる。
【００４８】
本発明に係る他の実施形態を図６を参照しながら説明するが、上記実施形態との相違点を中心に説明する。
【００４９】
図６に示すように、ベース体１０と歯間乳頭形成体２０とを連結する連結手段としてのアバットメントスクリュー４０の代わりに、ベース体１０の中空有底穴１４の末端側に設けられた係止受け部５５と、歯間乳頭形成体２０の接続端２４の円環状係止部５４とが弾性的にロック係合する構成とすることができる。すなわち、薄肉の接続端２４は、基部側に開いたノッチ（割れ目）を備えており、非負荷状態では、基部側に向けてわずかに末広がりした形状をなしている。その結果、薄肉の接続端２４は、径方向に弾性的に変形することができるようになっている。接続端２４は、中空有底穴１４の末端側から挿入される当初は一時的にわずかに縮径されるが、中空有底穴１４の円環状係止部５４の位置に到達すると、自身の弾性力によってわずかに拡径する。したがって、円環状係止部５４が係止受け部５５に対してロック係合しているために、歯間乳頭形成体２０がベース体１０から抜けなくなっている。このように、円環状係止部５４と係止受け部５５とによって、ベース体１０と歯間乳頭形成体２０とを連結する連結手段が構成されている。
【００５０】
次に、本発明に係るさらに他の実施形態を図７を参照しながら説明するが、上記実施形態との相違点を中心に説明する。
【００５１】
図７に示すように、ベース体１０と歯間乳頭形成体２０とを連結する連結手段として、二重ネジ７０が使用されている。当該二重ネジ７０は、末端側が大径であり基部側が小径である二段構成の大略円筒形状をしている。すなわち、二重ネジ７０は、末端側に位置する大径頭部７４と、大径頭部７４の基部側に延在する小径の軸部７２と、から構成されている。軸部７２の基部部には、ネジ７３が形成されている。このネジ７３は、ベース体１０の内ネジ１７に対して螺合する。二重ネジ７０の内部には、不図示の中空有底穴が形成されており、その内壁面には内ネジ（不図示）が形成されている。この内ネジは、上述したアバットメントスクリュー４０のネジ４３と螺合する。末端側の大径部分から基部側の小径部分に切り替わる歯間乳頭形成体２０の貫通穴の中ほどには、二重ネジ７０の大径頭部７４を受け止めるストッパー部が形成されていて、大径頭部７４がストッパー部と係合する。したがって、歯間乳頭形成体２０の貫通穴に対して二重ネジ７０を締め付けていくと、ネジ７３が内ネジ１７に対して螺合するとともに、大径頭部７４がストッパー部に対して係合するので、ベース体１０と歯間乳頭形成体２０とが二重ネジ７０を介して一体的に連結される。このように、二重ネジ７０とストッパー部と内ネジ１７とによって、ベース体１０と歯間乳頭形成体２０とを連結する連結手段が構成されている。
【００５２】
次に、本発明に係るさらに他の実施形態を図１０乃至１２を参照しながら説明するが、上記実施形態との相違点を中心に説明する。
【００５３】
図１０は、本発明のさらに他の実施形態に係る人工歯根の斜視図である。図１１は、図１０に示した人工歯根の分解図である。図１２は、図１０の人工歯根を歯槽骨内に植設した状態を示す模式図である。
【００５４】
図１０乃至１２に示すように、フィクスチャー２の歯間乳頭形成体２０とアバットメント３０との間の境界部分には、鞍状に湾曲形態で延在する溝状の凹部５０が形成されている。歯間乳頭形成体２０の末端部の最終面は、鞍状に湾曲していて鞍状接続端２５を構成する。歯間乳頭形成体２０の鞍状接続端２５は、対向するアバットメント３０の基部側に形成されていて、鞍状接続端２５を受容するように相補的に鞍状に湾曲した鞍状受容端３５と嵌合する。
【００５５】
歯間乳頭形成体２０の主面２１を構成する側周面は、粗面２２に加工されている。それに対して、歯間乳頭形成体２０の鞍状接続端２５を構成する上面は、鏡面２３に加工されている。それとともに、鞍状接続端２５であって鏡面２３に加工された上面は、溝状の凹部５０の基端側の一部分を構成している。アバットメント３０の鞍状受容端３５を構成する下面は、通常の仕上げ面（粗面及び鏡面の中間程度の仕上げ）又は鏡面に加工されていて、溝状の凹部５０の末端側の一部分を構成している。すなわち、溝状の凹部５０を構成する少なくとも歯間乳頭形成体の基端側の一部分が鏡面である。
【００５６】
図１２に示すように、歯間乳頭形成体２０の主面２１を構成する側周面の粗面２２は骨乳頭６４の形成を誘導するとともに、溝状の凹部５０の鏡面２３は歯肉６６の生物学的幅径８０の形成を誘導する。ところで、生物学的幅径（Biologic Width）８０とは、上皮性付着部（約１ｍｍの幅）８２から結合性付着部（約１ｍｍの幅）８４までの幅のことであり、生体の恒常性を維持するための生体防御構成部分と考えられている。結合性付着部（約１ｍｍの幅）８４は結合繊維８３の先端部分であり、結合性付着部８４を含む生物学的幅径８０の部分が溝状の凹部５０に食らい付いて強固な結合が得られるので、マイクロギャップに起因した歯肉６６の退縮の影響を受けにくくなる。歯肉６６が退縮することなくアーチ形状の骨乳頭６４が形成されることによって、当該骨乳頭６４に沿って歯間乳頭６８が形成され、最終的にアーチ形状の歯間乳頭６８が回復する。また、生物学的幅径８０の部分が溝状の凹部５０に対して食らい付いて人工歯根１と辺縁歯肉との間隙である遊離歯肉溝を縮小するので、遊離歯肉溝からの細菌感染防止も可能になる。
【００５７】
また、上記実施形態においては、溝状の凹部５０の末端側の部分がアバットメント３０の一部分であり、溝状の凹部５０の基端側の鏡面部分が歯間乳頭形成体２０の一部分であるという構成になっているが、アバットメント３０と歯間乳頭形成体２０との境界を画定する境界線は、末端側に変位させることも可能である。境界線を末端側にシフトさせることにより溝状の凹部５０の鏡面２３の部分の面積が増大して、生物学的幅径８０の部分が食らい付く結合強さが増大する。境界線を溝状の凹部５０よりもさらに末端側にシフトさせた構成とすることも可能である。この場合には、溝状の凹部５０の全面が鏡面２３になり、溝状の凹部５０の全てが歯間乳頭形成体２０に含まれることになる。
【００５８】
ところで、歯間乳頭形成体２０に溝状の凹部５０を設けることは、生物学的幅径８０の部分が食らい付く結合強さが増大するという利点を有する。その反面、抜歯によって骨吸収の起こった歯周組織（骨）を骨再生誘導（ＧＢＲ：guided bone regeneration）法や組織再生誘導（ＧＴＲ：guided tissue regeneration）法で回復させるために軟組織を縫合して一旦閉じることが行われるが、溝状の凹部５０を乗り越えて軟組織を閉じることが必要となるために軟組織の炎症等の障害を引き起こす可能性があることに留意する必要がある。したがって、臨床上の観点を加味すると、溝状の凹部５０の末端側の部分がアバットメント３０の一部分であり、溝状の凹部５０の基端側の鏡面部分が歯間乳頭形成体２０の一部分であるという図１０乃至１２に示した構成の方が好ましい。
【００５９】
さらにまた、鞍状に湾曲形態で延在する溝状の凹部５０を設ける構成は、図１乃至７に示した大略円筒形状をした歯間乳頭形成体２０に対しても適用することができる。この場合、不図示であるが、上述したように、歯間乳頭形成体２０の側周面である主面部２１は、歯槽骨６２の基部側に向かって凸状に湾曲した鏡面２３とその残部である粗面２２とを有している。鏡面２３及び粗面２２の境界を画定する境界線は鞍状に湾曲形態で延在し、当該境界線に沿って溝状の凹部５０が形成されている。溝状の凹部５０は鏡面２３に加工されている。すなわち、溝状の凹部５０と溝状の凹部５０よりも末端側の部分とは鏡面２３に加工されていて、溝状の凹部５０よりも基端側の部分は粗面２２に加工されている。結合性付着部８４を含む生物学的幅径８０の部分が溝状の凹部５０に食らい付くことにより、強固な結合力や細菌感染防止効果が得られる。
【００６０】
なお、ベース体１０の受け部１６と歯間乳頭形成体２０の接続端２４との間での凹凸結合や、歯間乳頭形成体２０とアバットメント３０との間での正多角形体の雌雄結合は、上記とは逆の関係にしてもよいことは言うまでもない。
【図面の簡単な説明】
【００６１】
【図１】本発明の一実施形態に係る人工歯根の正面図である。
【図２】図１に示した人工歯根の縦方向の断面図である。
【図３】図１に示した人工歯根の斜視図である。
【図４】図１の人工歯根を歯槽骨内に植設した状態を示す模式図である。
【図５】図１に示した人工歯根の分解図である。
【図６】本発明の他の実施形態に係る人工歯根の説明図である。
【図７】本発明のさらに他の実施形態に係る人工歯根の説明図である。
【図８】本発明のさらに他の実施形態に係る人工歯根の斜視図である。
【図９】図８に示した人工歯根の分解図である。
【図１０】本発明のさらに他の実施形態に係る人工歯根の斜視図である。
【図１１】図１０に示した人工歯根の分解図である。
【図１２】図１０の人工歯根を歯槽骨内に植設した状態を示す模式図である。
【符号の説明】
【００６２】
１：人工歯根
２：フィクスチャー
４：義歯
１０：ベース体
１２：外ネジ
１４：中空有底穴
１６：受け部
１７：内ネジ（連結手段）
１８：接続端部
２０：歯間乳頭形成体
２１：主面部
２２：粗面
２３：鏡面
２４：接続端
２５：鞍状接続端
２７：内ネジ
３０：アバットメント
３２：義歯装着部
３３：係止溝
３４：傾斜部
３５：鞍状受容端
３６：嵌合端
３７：内ネジ
３８：貫通穴
４０：アバットメントスクリュー（連結手段）
４２：軸部
４３：ネジ
４４：大径頭部
４５：ストッパー部
５０：凹部
５２：ノッチ（割れ目）
５４：円環状係止部（連結手段）
５５：係止受け部（連結手段）
６０：自然歯
６２：歯槽骨
６４：骨乳頭
６６：歯肉
６８：歯間乳頭
７０：二重ネジ
７２：軸部
７３：ネジ
７４：大径頭部
８０：生物学的幅径
８２：上皮性付着部
８３：結合繊維
８４：結合性付着部
【図１】
2008149121.tif 000003
【図２】
2008149121.tif 000004
【図３】
2008149121.tif 000005
【図４】
2008149121.tif 000006
【図５】
2008149121.tif 000007
【図６】
2008149121.tif 000008
【図７】
2008149121.tif 000009
【図８】
2008149121.tif 000010
【図９】
2008149121.tif 000011
【図１０】
2008149121.tif 000012
【図１１】
2008149121.tif 000013
【図１２】
2008149121.tif 000014